【手続補正書】
【提出日】平成17年6月30日(2005.6.30)
【手続補正１】
【補正対象書類名】特許請求の範囲
【補正対象項目名】全文
【補正方法】変更
【補正の内容】
【特許請求の範囲】
【請求項１】
大量輸送乗物用の窓アセンブリであって、
複数の辺を有し、開口部を形成し、かつ該複数の辺の各々に形成された溝を形成する窓枠と、
内面と、外面と、少なくとも２つの向かい合う辺を形成する外周部とを有し、かつ該外周部が前記溝の中に位置するように、前記窓枠の前記開口部内に位置しているガラス板と、
前記ガラス板の前記少なくとも２つの向かい合う辺に隣接して位置するように前記窓枠の前記開口部内に位置している複数の保持具であって、前記ガラス板の前記少なくとも２つの向かい合う辺の前記内面に隣接し、かつ前記ガラス板の前記外周部に隣接するスペースを形成するように構成されている複数の保持具と、
外周部を有する犠牲部材であって、前記ガラス板の前記少なくとも２つの向かい合う辺に隣接して位置する前記複数の保持具によって形成された前記スペース内に配置された該外周部で前記ガラス板の前記内面を保護するように、前記ガラス板の前記内面に隣接して位置し、かつ、該犠牲部材の少なくとも２つの向かい合う辺が前記保持具によって形成された前記スペース内に配置されて該犠牲部材の取外しを阻止する固定位置と、取外し位置との間を、前記スペース内を該ガラス板の面とほぼ平行方向に移動できるような大きさであり、前記犠牲部材が該取外し位置にあるときは、前記犠牲部材の一方の該縁部が、該犠牲部材を、該ガラス板の面に対して垂直な成分を有する方向に、外側に向けて、該保持具を越えて曲げることができ、それによって取外されるように、前記スペースから露出される犠牲部材と、
前記犠牲部材が前記固定位置と前記取外し位置との間を動かないように、前記複数の保持具の１つを貫いて延びている保持用留具とを有する窓アセンブリ。
【請求項２】
前記ガラス板の前記外周部に力を加えて前記ガラス板を前記窓枠の前記開口部内に保持するように、前記溝の中に位置するガスケットをさらに有する、請求項１に記載のアセンブリ。
【請求項３】
前記複数の保持具は、前記複数の保持具の少なくとも一部が前記ガスケットと前記ガラス板の前記内面との間に配置され前記溝の中に保持されるように、前記溝の中に配置されている、請求項２に記載のアセンブリ。
【請求項４】
前記複数の保持具の各々は、固定用脚部と、保持用脚部と、該固定用脚部を該保持用脚部に連結する連結部とを有し、該固定用脚部と該保持用脚部は相互にほぼ平行であり、該連結部は該固定用脚部と該保持用脚部の面に対してほぼ垂直である、請求項３に記載のアセンブリ。
【請求項５】
前記複数の保持具の前記固定用脚部は前記ガスケットと前記ガラス板の前記内面との間に配置され、前記複数の保持具の前記保持用脚部は前記犠牲部材が配置される前記スペースを形成している、請求項４に記載のアセンブリ。
【請求項６】
前記保持用留具は前記保持用脚部を貫通して延びて、前記複数の保持具のうちの第１の保持具の前記保持用脚部によって形成された前記スペース内に位置するように、前記保持用脚部の上に位置している、請求項５に記載のアセンブリ。
【請求項７】
前記複数の保持具の各々は第１の端部と第２の端部とを有し、該第１の端部は、該複数の保持具の該第１、第２の端部の相互作用が、該複数の保持具が前記窓枠によって形成された前記溝から前記開口部に向かって内側へ移動することを防止するように、隣接する保持具の該第２の端部と係合している、請求項３に記載のアセンブリ。
【請求項８】
前記第１の端部が前記隣接する保持具の前記第２の端部の内側への移動を防止するように、前記各保持具の前記第１の端部は第１の構成を有し、前記各保持具の前記第２の端部は第２の構成を有している、請求項７に記載のアセンブリ。
【請求項９】
前記複数の保持具の前記第１の端部は、前記複数の保持具の前記第１の端部の内側の点が前記複数の保持具の前記第１の端部上の外側の点から横方向に外側に位置して斜めの端部を形成するように形成され、かつ、前記複数の保持具の前記第２の端部は、前記複数の保持具の前記第２の端部上の内側の点が前記複数の保持具の前記第２の端部上の外側の点から横方向に内側に位置して斜めの端部を形成するように形成されている、請求項８に記載のアセンブリ。
【請求項１０】
ガスケットによって溝の中に保持されたガラス板を有する、既存の大量輸送乗物用の窓に犠牲保護層を後付けするアセンブリであって、
前記ガスケットと前記ガラス板の間に挿入された少なくとも１つの保持具であって、前記ガラス板の向かい合う辺上に配置され、かつ前記ガスケットと前記ガラス板との間に挿入されたときに前記ガラス板の外周部に隣接するスペースを形成する少なくとも１つの保持具と、
前記少なくとも１つの保持具が前記ガスケットと前記ガラス板との間に挿入されたときに、前記ガラス板の内面に隣接して位置する外周部を有する犠牲部材であって、該犠牲部材の該外周部の少なくとも一部が、該少なくとも１つの保持具が前記ガラス板に隣接して前記犠牲部材を保持するように、前記少なくとも１つの保持具によって形成された前記スペース内に位置し、前記スペース内を該ガラス板の面とほぼ平行方向に、固定位置と取外し位置との間で移動できるような大きさを有し、該犠牲部材が該取外し位置にあるときに、該犠牲部材を取外せるように該犠牲部材の外縁を前記スペースから取外すことができる犠牲部材とを有し、
前記少なくとも１つの保持具は、前記犠牲部材の前記固定位置と前記取外し位置との間の移動を阻止する固定形態に構成可能であり、１つの該保持具も取外すことを必要とすることなく、前記犠牲部材を前記取外し位置に動かして該犠牲部材を前記窓から取外すことができる取外し形態状に構成可能であるアセンブリ。
【請求項１１】
前記少なくとも１つの保持具は前記窓枠のほぼ全周の周りを延びる複数の保持具を有する、請求項１０に記載のアセンブリ。
【請求項１２】
前記複数の保持具の各々は、固定用脚部と、保持用脚部と、該固定用脚部を該保持用脚部に連結する連結部とを有し、該固定用脚部と該保持用脚部は相互にほぼ平行であり、該連結部は該固定用脚部と該保持用脚部の面に対してほぼ垂直である、請求項１１に記載のアセンブリ。
【請求項１３】
前記複数の保持具の前記１つは、前記犠牲部材の該スペース内での移動を阻止する固定位置と、該犠牲部材が移動させられて前記窓から取外されることができる取外し位置とに位置することができるように、該保持具を貫通して前記スペースまで延びる保持用留具である、請求項１２に記載のアセンブリ。
【請求項１４】
前記複数の保持具の各々は、第１の端部は隣接する保持具の第２の端部と係合し、該複数の保持具の該第１、第２の端部の相互作用が、該複数の保持具が前記窓枠によって形成された前記溝から内側へ移動することを防止するように、該第１の端部と該第２の端部とを有する、請求項１２に記載のアセンブリ。
【請求項１５】
前記第１の端部が前記隣接する保持具の前記第２の端部の内側への移動を阻止するように、前記各保持具の第１の端部は第１の構成を有し、前記各保持具の第２の端部は第２の構成を有している、請求項１４に記載のアセンブリ。
【請求項１６】
前記複数の保持具の前記第１の端部は、前記複数の保持具の前記第１の端部の内側の点が前記複数の保持具の前記第１の端部上の外側の点から横方向に外側に位置して斜めの端部を形成するように形成され、かつ前記複数の保持具の前記第２の端部は、前記複数の保持具の前記第２の端部の内側の点が前記複数の保持具の前記第２の端部上の外側の点から横方向に内側に位置して斜めの端部を形成するように形成されている、請求項１５に記載のアセンブリ。
【請求項１７】
前記犠牲部材は平面シート材からなり、かつ前記ガラス板の前記内面を覆う大きさである、請求項１０に記載のアセンブリ。
【請求項１８】
前記少なくとも１つの保持具は単一の連続する保持具を有する、請求項１０のアセンブリ。